【手続補正書】
【提出日】平成17年12月14日(2005.12.14)
【手続補正１】
【補正対象書類名】明細書
【補正対象項目名】特許請求の範囲
【補正方法】変更
【補正の内容】
【特許請求の範囲】
【請求項１】  増殖性の疾患の処置を必要とする患者の増殖性の疾患を処置するための薬学的組成物であって、該薬学的組成物は、有効量の（１）ＦＰＴインヒビターを含有し；
但し、前記ＦＰＴインヒビターが以下の式の化合物である場合であって：
【化１】
2001526224.tif 000001
ここで：
破線は、任意の２重結合を表し；
Ｘ’は水素またはハロであり；および
Ｙ’は水素、−ＣＯＯＲ’であり、ここでＲ’はＣ１〜Ｃ１２アルキルまたは置換アルキル、フェニル、置換フェニル、Ｃ７〜Ｃ１２アリールアルキルまたは置換アリールアルキル、２−、３−、もしくは４−ピペリジルまたはＮ−置換ピペリジルであり、ここで前記置換されたＣ１〜Ｃ１２アルキル上の前記置換基は、アミノおよび置換アミノから選択され、そして前記置換アミノ上の前記置換基は、Ｃ１〜Ｃ６アルキルから選択され、前記置換フェニルおよび前記Ｃ７〜Ｃ１２アリールアルキルの前記置換アリール部分上の前記置換基は、Ｃ１〜Ｃ６アルキルおよびハロから選択され、そして前記Ｎ−置換ピペリジル上の前記置換基は、Ｃ１〜Ｃ４アルキル、または−ＳＯ２Ｒ’であり、ここでＲ’は、Ｃ１〜Ｃ１２アルキル、フェニル、置換フェニル、Ｃ７〜Ｃ１２アリールアルキルまたは置換アリールアルキルであり、ここで、前記置換フェニルおよび前記Ｃ７〜Ｃ１２アリールアルキルの前記置換アリール部分上の前記置換基は、Ｃ１〜Ｃ６アルキルおよびハロから選択される、場合；
化学療法剤は、ビンカアルカロイド、エピポドフィロトキシン、アントラサイクリン抗生物質、アクチノマイシンＤ、プリカマイシン、ピューロマイシン、グラミシジンＤ、タキソール、コルヒチン、サイトカラシンＢ、エメチン、メイタンシン、およびアムサクリンからなる群から選択されず、
ここで、該ＦＰＴインヒビターは、抗腫瘍剤および／または放射線治療と、同時に、同時的にまたは逐次的に投与されるために処方される、
薬学的組成物。
【請求項２】  増殖性の疾患の処置を必要とする患者の増殖性の疾患を処置するための薬学的組成物であって、該薬学的組成物は、有効量の（１）ＦＰＴインヒビター：
【化２】
2001526224.tif 000002
を含有し、ここで、該ＦＰＴインヒビターは、抗腫瘍剤および／または放射線治療と、同時的に、逐次的にまたは同時に投与されるために処方される、
薬学的組成物。
【請求項３】  増殖性の疾患の処置を必要とする患者の増殖性の疾患を処置するための薬学的組成物であって、該薬学的組成物は、同時に、同時的にまたは逐次的に投与されるために処方される、有効量の（１）ＦＰＴインヒビターおよび（２）ゲムシタビンを含有する、薬学的組成物。
【請求項４】  増殖性の疾患の処置を必要とする患者の増殖性の疾患を処置するための薬学的組成物であって、該薬学的組成物が、同時にまたは逐次的に投与されるために処方される、有効量の（１）ＦＰＴインヒビター：
【化３】
2001526224.tif 000003
および（２）ゲムシタビンを含有する、薬学的組成物。
【請求項５】  増殖性の疾患の処置を必要とする患者の増殖性の疾患を処置するための薬学的組成物であって、該薬学的組成物が、同時にまたは逐次的に投与されるために処方される、有効量の（１）ＦＰＴインヒビター：
【化４】
2001526224.tif 000004
および（２）微小管影響剤を含有する、薬学的組成物。
【請求項６】  前記ＦＰＴインヒビターが、縮合環の三環式ベンゾシクロヘプタピリジン、オリゴペプチド、ペプチド−擬態化合物、ファルネシル化されたペプチド−擬態化合物、およびファルネシル誘導体からなる群から選択される、請求項１または３のいずれかに記載の薬学的組成物。
【請求項７】  前記ＦＰＴインヒビターが、縮合環の三環式ベンゾシクロヘプタピリジンである、請求項６に記載の薬学的組成物。
【請求項８】  前記増殖性の疾患が：肺ガン、膵臓ガン、結腸ガン、骨髄性白血病、黒色腫、濾胞性甲状腺ガン、膀胱ガン、神経膠腫、骨髄形成異常症候群、乳ガン、または前立腺ガンである、請求項１または２のいずれかに記載の薬学的組成物。
【請求項９】  前記抗腫瘍剤が、ウラシルマスタード、クロルメチン、シクロホスファミド、イホスファミド、メルファラン、クロランブシル、ピポブロマン、トリエチレンメラミン、トリエチレンチオホスホラミン、ブスルファン、カルムスチン、ロムスチン、ストレプトゾシン、ダカルバジン、テモゾロミド、メトトレキセート、５−フルオロウラシル、フロクスウリジン、シタラビン、６−メルカプトプリン、６−チオグアニン、フルダラビンホスフェート、ペントスタチン、ゲムシタビン、ビンブラスチン、ビンクリスチン、ビンデシン、ブレオマイシン、ダクチノマイシン、ダウノルビシン、ドキソルビシン、エピルビシン、イダルビシン、パクリタキセル、ミトラマイシン、デオキシコホルマイシン、マイトマイシン−Ｃ、Ｌ−アスパラギナーゼ、インターフェロン、エトポシド、テニポシド、１７α−エチニルエストラジオール、ジエチルスチルベストロール、テストステロン、プレドニゾン、フルオキシメステロン、ドロモスタノロンプロピオネート、テストラクトン、メゲストロールアセテート、タモキシフェン、メチルプレドニゾロン、メチルテストステロン、プレドニゾロン、トリアムシノロン、クロロトリアニセン、ヒドロキシプロゲステロン、アミノグルテチミド、エストラムスチン、メドゴキシプロゲステロンアセテート、ロイプロリド、フルタミド、トレミフェン、ゴセレリン、シスプラチン、カルボプラチン、ヒドロキシ尿素、アムサクリン、プロカルバジン、ミトタン、ミトザントロン、レバミゾール、ナベルベン（Ｎａｖｅｌｂｅｎｅ）、ＣＰＴ−１１、アナストラジゾール（Ａｎａｓｔｒａｚｏｌｅ）、レトラゾール（Ｌｅｔｒａｚｏｌｅ）、カペシタビン（Ｃａｐｅｃｉｔａｂｉｎｅ）、レオキサフィン（Ｒｅｌｏｘａｆｉｎｅ）、ドロロキサフィン（Ｄｒｏｌｏｘａｆｉｎｅ）、またはヘキサメチルメラミンから選択される、請求項１に記載の薬学的組成物。
【請求項１０】  前記抗腫瘍剤が、５−フルオロウラシルである、請求項１または２のいずれかに記載の薬学的組成物。
【請求項１１】  前記抗腫瘍剤が、テモゾロミドである、請求項１または２のいずれかに記載の薬学的組成物。
【請求項１２】  前記放射線が、γ−線である、請求項１に記載の薬学的組成物。
【請求項１３】  前記抗腫瘍剤が、ウラシルマスタード、クロルメチン、シクロホスファミド、イホスファミド、メルファラン、クロランブシル、ピポブロマン、トリエチレンメラミン、トリエチレンチオホスホラミン、ブスルファン、カルムスチン、ロムスチン、ストレプトゾシン、ダカルバジン、テモゾロミド、メトトレキセート、５−フルオロウラシル、フロクスウリジン、シタラビン、６−メルカプトプリン、６−チオグアニン、フルダラビンホスフェート、ペントスタチン、ゲムシタビン、ビンブラスチン、ビンクリスチン、ビンデシン、ブレオマイシン、ダクチノマイシン、ダウノルビシン、ドキソルビシン、エピルビシン、イダルビシン、パクリタキセル、ミトラマイシン、デオキシコホルマイシン、マイトマイシン−Ｃ、Ｌ−アスパラギナーゼ、インターフェロン、エトポシド、テニポシド、１７α−エチニルエストラジオール、ジエチルスチルベストロール、テストステロン、プレドニゾン、フルオキシメステロン、ドロモスタノロンプロピオネート、テストラクトン、メゲストロールアセテート、タモキシフェン、メチルプレドニゾロン、メチルテストステロン、プレドニゾロン、トリアムシノロン、クロロトリアニセン、ヒドロキシプロゲステロン、アミノグルテチミド、エストラムスチン、メドゴキシプロゲステロンアセテート、ロイプロリド、フルタミド、トレミフェン、ブセレリン、シスプラチン、カルボプラチン、ヒドロキシ尿素、アムサクリン、プロカルバジン、ミトタン、ミトザントロン、レバミゾール、ナベルベン、ＣＰＴ−１１、アナストラジゾール、レトラゾール、カペシタビン、レオキサフィン、ドロロキサフィン、またはヘキサメチルメラミンから選択される、請求項２に記載の薬学的組成物。
【請求項１４】  前記抗腫瘍剤が、シクロホスファミド、５−フルオロウラシル、またはビンクリスチンから選択される、請求項２に記載の薬学的組成物。
【請求項１５】  前記抗腫瘍剤が、シクロホスファミドである、請求項２に記載の薬学的組成物。
【請求項１６】  前記増殖性の疾患が、上皮ガンである、請求項３に記載の薬学的組成物。
【請求項１７】  前記増殖性の疾患が、前立腺ガン、肺ガン、または膵臓ガンである、請求項３または４のいずれかに記載の薬学的組成物。
【請求項１８】  前記増殖性の疾患が、膵臓ガンである、請求項３、４または５のいずれかに記載の薬学的組成物。
【請求項１９】  前記ＦＰＴインヒビターが、５０〜４００ｍｇ／日の量で経口的に投与されるために処方され、そして前記ゲムシタビンが、４週間のうち３週間、１週間に７５０〜１３５０ｍｇ／ｍ２の量で投与されるために処方される、請求項４に記載の薬学的組成物。
【請求項２０】  前記抗腫瘍剤が、微小管影響剤である、請求項１に記載の薬学的組成物。
【請求項２１】  前記ＦＰＴインヒビターが、縮合環の三環式ベンゾシクロヘプタピリジン、オリゴペプチド、ペプチド−擬態化合物、ファルネシル化されたペプチド−擬態化合物、およびファルネシル誘導体からなる群から選択される、請求項２０に記載の薬学的組成物。
【請求項２２】  前記ＦＰＴインヒビターが、縮合環の三環式ベンゾシクロヘプタピリジンである、請求項２１に記載の薬学的組成物。
【請求項２３】  前記微小管影響剤が、パクリタキセルまたはパクリタキセル誘導体である、請求項５または２０のいずれかに記載の薬学的組成物。
【請求項２４】  前記微小管影響剤が、タキソテールである、請求項２０に記載の薬学的組成物。
【請求項２５】  前記増殖性の疾患が、前立腺ガン、肺ガン、膵臓ガン、結腸ガン、または膀胱ガンである、請求項２０に記載の薬学的組成物。
【請求項２６】  前記増殖性の疾患が、前立腺ガンである、請求項５または２０のいずれかに記載の薬学的組成物。
【請求項２７】  前記増殖性の疾患が、肺ガンである、請求項５または２０のいずれかに記載の薬学的組成物。
【請求項２８】  前記増殖性の疾患が、膵臓ガンである、請求項２０に記載の薬学的組成物。